(57)【要約】【課題】前枠及び中枠の開閉をスムーズに行えるとともに、前枠及び中枠の開放時にも隣接する遊技機での遊技に支障を及ぼすことのない遊技機を提供する。【解決手段】  枠状に形成された外枠２と、外枠２に対して開閉自在に取り付けられている中枠３とを備え、中枠３に対して開閉自在に配置されている前枠４と、前枠４を回動させるときに回動中心となる回動支点Ｓを有し、中枠３は、外枠２の長手方向一端部を中心に回動可能に形成されており、前枠４は、回動支点Ｓを中心にして、遊技盤１０の前側に位置する閉じ位置と、遊技盤１０を開放する開き位置との間で開閉自在に回動するとともに、回動するときには外枠２に対して前後方向に移動するように構成した。【選択図】図１１
2019188051.tif 000002
【特許請求の範囲】
【請求項１】
枠状に形成された外枠と、前記外枠に対して開閉自在に取り付けられている中枠とを備えた遊技機であって、
前記中枠に対して開閉自在に配置されている前枠と、
前記前枠を回動させるときに回動中心となる回動支点を有し、
前記中枠は、前記外枠の長手方向一端部を中心に回動可能に形成されており、
前記前枠は、前記回動支点を中心にして、前記遊技盤の前側に位置する閉じ位置と、前記遊技盤を開放する開き位置との間で開閉自在に回動するとともに、前記回動するときには前記外枠に対して前後方向に移動するように構成されていることを特徴とする遊技機。
【請求項２】
前記前枠の後方に設けられており、枠状に形成された外枠本体と、前記外枠本体から前方に向けて延出形成されており、前記前枠の開閉動作及び前後方向への移動動作をガイドするためのガイド部材を有する外枠を備えている請求項１記載の遊技機。
【請求項３】
前記前枠が前記閉位置から前記開位置へ回動するときに、前記外枠に対して前記前枠を前方向及び前記閉位置から前記開位置へ回動する方向に付勢する付勢部材を備えており、
前記付勢部材の一端が前記外枠に取り付けられている請求項１又は２記載の遊技機。
【請求項４】
前記前枠がガラス板を備えている請求項１から３のいずれかに記載の遊技機。
【発明の詳細な説明】
【技術分野】
【０００１】
本発明は、前枠及び中枠が開閉自在に形成されている遊技機に関する。
【背景技術】
【０００２】
従来から知られている遊技機の一つとして、遊技球を用いて遊技を行うパチンコ機がある。パチンコ機は、遊技者の操作によって遊技球が順次弾発されていき、この弾発された遊技球が遊技盤に形成されている遊技領域を流下するように構成されている。遊技領域には、遊技球が入賞すると所定の動作を行う入賞装置など、各種の装置が配置されている。
【０００３】
パチンコ機は、一般に外枠と呼ばれる枠状の部材があり、この外枠に対して中枠や前枠といった枠状の部材が配置されている。外枠は遊技機を遊技店の島設備に設置する際、該島設備に取付固定される枠となり、中枠及び前枠は、この外枠に対して開閉することができるように構成されている。
【０００４】
このように、各種の枠部材を有する遊技機としては、例えば下記に示す特許文献１に記載されている遊技機がある。特許文献１に記載されている遊技機は、中枠と、中枠の前面側に設けられ、且つ遊技領域を臨む前枠を配置しており、これら中枠及び前枠が外枠に対して開閉できるように構成されている遊技機が開示されている。
【先行技術文献】
【特許文献】
【０００５】
【特許文献１】特開２００６−０５５１４５号公報
【発明の概要】
【発明が解決しようとする課題】
【０００６】
しかしながら、特許文献１に記載されている遊技機は、中枠に対して前枠が開閉可能に取り付けられていたため、遊技店などで島設備に設置されているパチンコ機の点検などの場合に、前枠を開いた状態で中枠を開けると前枠が隣接する遊技機の前に向かって移動し、作業をしている間は隣接するパチンコ機での遊技も円滑に行うことが難しくなるといった問題があった。
【０００７】
本発明は、このような問題点に鑑みてなされたものであり、前枠及び中枠の開閉をスムーズに行えるとともに、前枠及び中枠の開放時にも隣接する遊技機での遊技に支障を及ぼすことのない遊技機を提供することを目的とする。
【課題を解決するための手段】
【０００８】
本発明は、
（１）枠状に形成された外枠と、前記外枠に対して開閉自在に取り付けられている中枠とを備えた遊技機であって、前記中枠に対して開閉自在に配置されている前枠と、前記前枠を回動させるときに回動中心となる回動支点を有し、前記中枠は、前記外枠の長手方向一端部を中心に回動可能に形成されており、前記前枠は、前記回動支点を中心にして、前記遊技盤の前側に位置する閉じ位置と、前記遊技盤を開放する開き位置との間で開閉自在に回動するとともに、前記回動するときには前記外枠に対して前後方向に移動するように構成されていることを特徴とする遊技機、
（２）前記前枠の後方に設けられており、枠状に形成された外枠本体と、前記外枠本体から前方に向けて延出形成されており、前記前枠の開閉動作及び前後方向への移動動作をガイドするためのガイド部材を有する外枠を備えている上記（１）記載の遊技機、
（３）前記前枠が前記閉位置から前記開位置へ回動するときに、前記外枠に対して前記前枠を前方向及び前記閉位置から前記開位置へ回動する方向に付勢する付勢部材を備えており、前記付勢部材の一端が前記外枠に取り付けられている上記（１）又は（２）記載の遊技機、
（４）前記前枠がガラス板を備えている上記（１）から（３）のいずれかに記載の遊技機を要旨とする。
【発明の効果】
【０００９】
本発明によれば、外枠に対して前枠及び中枠が開閉可能に形成されているので、前枠及び中枠を開放しても、隣接する遊技機の遊技に支障を及ぼすことがなく、円滑に遊技機の開放時における作業及び隣接する遊技機での遊技を行うことが可能になる。
【図面の簡単な説明】
【００１０】
【図１】本発明に係る遊技機の実施の形態を表わす外観斜視図である。
【図２】本実施の形態に係る遊技機であって、前枠を開放した状態を表す斜視図である。
【図３】本実施の形態に係る遊技機の分解斜視図である。
【図４】本実施の形態に係る遊技機の分解斜視図である。
【図５】前枠が閉じ位置に位置しているときの本実施の形態に係る遊技機の側面図である。
【図６】前枠が閉じ位置に位置しているときにおけるガイド部材と回動軸との位置関係を説明するための説明図である。
【図７】前枠が閉じ位置と開き位置との間に位置しているときの本実施の形態に係る遊技機の側面図である。
【図８】前枠が閉じ位置と開き位置との間に位置しているときにおけるガイド部材と回動軸との位置関係を説明するための説明図である。
【図９】前枠が開き位置に位置しているときの本実施の形態に係る遊技機の側面図である。
【図１０】前枠が開き位置に位置しているときにおけるガイド部材と回動軸との位置関係を説明するための説明図である。
【図１１】外枠に対して中枠及び前枠を開放した状態を表す斜視図である。
【図１２】外枠に対して中枠及び前枠を開放した状態を表す側面図である。
【図１３】本実施の形態に係る遊技機を島設備に設置した状態における該遊技機の作用効果を説明するための説明図である。
【発明を実施するための形態】
【００１１】
本発明に係る遊技機の実施の形態について、図面を用いて詳細に説明する。なお、本明細書では、本発明に係る遊技機の例としてパチンコ機を用いて説明するが、本発明はパチンコ機以外の遊技機、例えばスロットマシン等にも適用することができる。また、本明細書においては、パチンコ機（以下では、単に「遊技機」と言う。）及び遊技機を構成する各部材の「前側」、「後側」、「上側」、「下側」、「左側」及び「右側」は、遊技機を正面から見た場合における前側、後側、上側、下側、左側及び右側を示すものとする。また、本明細書では、遊技機から遊技者に対して払い出される遊技球のことを「賞球」と言う。
【００１２】
［遊技機の外観構成］
まず、遊技機１の外観構成を図１から図４に基づいて説明する。図１は、遊技機１の外観構成を表す斜視図、図２は遊技機１の前枠４を開いた状態を表わす斜視図、図３及び図４は遊技機１の分解斜視図である。
【００１３】
遊技機１は、機体の外郭を構成する縦長方形の枠状に形成された外枠２を備えており、この外枠２の開口前面側に縦長方形の中枠３が該外枠２に対して開閉自在に組み付けられている。また、中枠３の前面側には、前枠４が開閉自在に組み付けられている。
【００１４】
外枠２は、遊技店などに予め設置されている島設備に遊技機１を設置する際に、該島設備に形成されている遊技機設置用の開口部（図示せず）に嵌め込んで設置することができる大きさに形成されている。この外枠２は、外枠本体５とガイド部材６とを備えている。外枠本体５は、前枠４の後方に設けられており、縦長方形の枠状に形成されている部材であり、一般的には木材などを用いて形成されており、遊技機１の重量を支えることができるようになっている。また、本実施の形態における外枠本体１のように、より強固に補強する趣旨で、木材などで形成した枠状体の外周部や四隅に金属製の板材をネジ止めするなどしてもよい。なお、外枠２の構成や外枠２を形成する材料は上記したものに限定されるものではない。
【００１５】
図３に示すように、ガイド部材６は外枠本体５の上部に取り付けられている。このガイド部材６は、金属製の固定部６ａとこの固定部６ａの前側に取り付けられているガイド体６ｂとから構成されている。固定部６ａは、外枠本体５を構成する上側の枠材に対してネジ止め等の方法によって取付固定されている。ガイド体６ｂは固定部６ａと一体的になるよう形成されており、外枠本体５に固定部６ａを取付固定したときに、ガイド体６ｂが固定部６ａの前側、言い換えるとガイド体６ｂが外枠本体５（外枠２）の前側に位置するように外枠本体５に取り付けられている。
【００１６】
このガイド体６ｂは、外枠本体から前方に向けて延出形成されており、かつ前方へ行くにしたがって下り傾斜しつつ延出形成されている。また、ガイド体６ｂは、ガイド部材６を外枠本体５に取付固定したときの前端部及び後端部が曲線状に形成されるとともに、この前端部及び後端部の間は直線状に形成されており、ガイド体６ｂを側面視すると長穴形状を有する輪状に形成されている。また、この長穴形状をしている箇所は、ガイド体６ｂを正面視したときに左右方向に貫通する貫通孔となっている。以下では、この貫通孔のことを貫通孔６ｃとする。
【００１７】
ガイド体６ｂは、固定部６ａに対して左右一対となるように２つ形成されている。これら２つのガイド体６ｂは、前枠４を外枠２に対して取付固定したときのガタツキ等を防止する趣旨で、同一形状とすることが好ましい。なお、本実施の形態では、一つの固定部６ａに対して２つのガイド体６ｂが対となるように形成されている例を用いて説明しているが、一つの固定部６ａに対するガイド体６ｂの数は上記した例に限定されるものではない。また、本実施の形態では、ガイド体６ｂは外枠本体５の左右両端部よりも中央寄りに配置されているが、ガイド体６ｂを配置する箇所も上記した例に限定されるものではない。
【００１８】
また、外枠２には、該外枠２を正面視したときの右側に付勢部材としてのエアシリンダ７が設けられている。このエアシリンダ７は外枠２と前枠４とを接続することができるように設けられている。エアシリンダ７は、基端側の端部が外枠本体５の右側部にネジ止め等の任意な方法によって取り付けられており、先端側の端部が前枠４に取り付けられるようになっている。なお、本実施の形態では、付勢部材の例としてエアシリンダを用いた例を説明しているが、前枠４を開放したときに、開放された前枠４を支持することができるものであればよく、上記した例には限定されない。
【００１９】
なお、外枠２において、該外枠２を正面視したときの左側上部及び下部において前方に延出するように設けられているのは、中枠３を開閉可能に取り付けるための固定部材８である。
【００２０】
中枠３は、外枠２の前側に位置するように配置されている。この中枠３は、外枠２に形成されている固定部材８によって固定される被固定部（図示せず）が形成されており、この被固定部が固定部材８によって固定されることにより、外枠２に対して開閉自在に取り付けられている。中枠３は、遊技機１を正面視した時の左側に外枠２に対して開閉する開閉軸があり、この開閉軸を中心にして開閉することができるようになっている。つまり、中枠３は、外枠２に対して該外枠２の長手方向一端部を中心に回動可能に形成されており、外枠２に対して開閉自在に取り付けられている。
【００２１】
この中枠３は、外枠２の内部にはまり込む大きさ及び形状に形成されている。また、中枠３は内部に裏ユニット９を設置することができるように形成されている。なお、遊技時に遊技球を流下させることのできる遊技領域を有する遊技盤１０は裏ユニット９に取付固定されている。また、中枠３の下部には、受け皿としての上受け皿１１及び下受け皿１２を備えている。本実施の形態では、上受け皿１１及び下受け皿１２を一つのユニットとして形成しているが、上受け皿１１及び下受け皿１２は別体として形成してもよいし、他の形態で形成してもよい。また、本実施の形態では、下受け皿１２の一部を形成し、前枠３が閉じたときに下受け皿として機能するように形成しているが、他の形態により形成してもよい。
【００２２】
この上受け皿１１及び下受け皿１２は、遊技中に図示しない入賞装置等に遊技球が入賞したときに払い出される所定数の賞球を貯留するための貯留スペース１３，１４を有している。遊技機１は、遊技の進行に応じて払い出される賞球を貯留スペース１３，１４に払い出し、その賞球を遊技に費やしたりすることができるようになっている。
【００２３】
前枠４は、外枠２及び中枠３の前側に位置し、これら外枠２及び中枠３のいずれに対しても開閉自在となるように配置されており、遊技機１においては最も遊技者に近い側に位置するように配置されている。図１等において示すように、この前枠３は中央部に窓部１５が形成されており、この窓部１５が形成されている箇所にガラス板１６が取付固定されている。また、前枠４の下部であって窓部１５の前方には所定の形状を有する構造体１７が設けられている。この構造体１７は、遊技の進行に応じて遊技者に所定の操作を行わせるためのものである。図１，３等においては、構造体１７は球状に形成されているが、この構造体１７の形状も任意に決定してよい。例えば、構造体１７が剣をイメージした形状をしていてもよいし、他の形状をしていてもよい。なお、構造体１７は、前枠４の下部から上方に向けて延出したりするような大柄なものである場合には、一枚板上を介して形成することが好ましい。このように形成することで、構造体１７の強度を強くすることができ、例えば後述するように前枠４を開放したときに構造体１７が自重で折れてしまったり、変形するというような不具合を確実に防止することができる。なお、本実施の形態に係る遊技機１では、前枠４にガラス板１６が取付固定されている例を用いて説明したが、これに限定されるものではなく、前枠４にガラス板１６を取付固定していなくてもよい。この場合には、ガラス板１６は外枠２に対して、該外枠２の長手方向一端部を中心に回動可能に形成される態様であってもよく、またこれ以外の別の態様であってもよい。
【００２４】
図１，３にも示す通り、前枠４には右下に操作ハンドル１８が設けられている。操作ハンドル１８は、遊技者の操作によって所定量回動することができるように構成されている。遊技機１では、遊技盤１０に向けて遊技球を弾発するための発射装置を内部に備えており、この発射装置が遊技球を弾発する弾発強さを操作ハンドルの回動量を調節することによって調節することができるように構成されている。
【００２５】
図４に示すように、前枠４は、上部の裏側に回動軸１９を有している。また。回動軸１９が配置されている所定箇所には切欠き部２０が形成されている。切欠き部２０は、前枠４が外枠２に取付固定されたときに、外枠本体５に取付固定されたガイド部材６のガイド部６ｂと干渉しないようにするためのものである。この切欠き部２０が形成されている箇所においては、ガイド部６ｂが露出するように形成されている。
【００２６】
図４に示すように、前枠４は回動軸１９を有しており、外枠２に対して前枠３を回動させるときに、この回動軸１９の軸中心が前枠４を回動させるときに回動中心となる回動支点となっている。即ち、回動軸１９は、開閉動作を行うときの回動支点Ｓを軸方向中心に有しており、回動軸１９はガイド部材６により前後方向への移動がガイドされるように構成されている。そして、前枠４の上部が外枠２の上部と接続されることにより、外枠２に対する前枠４の回動支点Ｓが形成されており、前枠４は、回動支点Ｓを回動中心として、該回動中心の長手方向反対側の端部である自由端が回動支点Ｓよりも垂直方向下方に位置して遊技盤１０の前側に位置する閉じ位置と、自由端が回動支点の高さ位置に位置し遊技盤１０を開放する開き位置との間で開閉自在に回動することができるように構成されている。また、ガイド部６ｂは、前枠４が回動するときには、外枠２に対して前後方向に移動するようにも構成されている。
【００２７】
図２に示すように、前枠４には、エアシリンダ７の他端部が接続されている。上記した通り、エアシリンダ７は一端部が外枠２に設けられており、前枠４が閉じ位置から開き位置へと回動したり、前枠４が開き位置に位置しているときは、外枠２と前枠４との間で所定量の大きさの付勢力を付与して、前枠４が外枠２に対して開放している状態を維持することができるようになっている。
【００２８】
［遊技機の作用効果］
次に、本実施の形態に係る遊技機の作用を図５から図１０に基づいて説明する。図５から図１０は、本実施の形態に係る遊技機の作用として前枠４の開閉動作を説明するための説明図である。
【００２９】
まず、遊技機１が遊技に供されるときの状態について図５などを用いて説明する。通常、遊技機１が遊技に供されるときは、遊技店に予め設置された島設備９０に設置されている。図５などに示すように、島設備９０には所定の大きさを有する開口部が形成されており、この開口部に遊技機１の外枠２が嵌め込まれて設置されている。このように、遊技機１を島設備９０に設置すると、遊技機１の上方には、島設備９０に取り付けられている呼びボタン９１や、遊技機１の稼働状況に関する各種情報を表示する表示装置（図示せず）などが配置されている。
【００３０】
このようにして島設備９０に設置された遊技機１は、通常は図１，５に示すように、外枠２に対して中枠３及び前枠４が閉じた状態、すなわち中枠３及び前枠４が閉じ位置に位置するように配置されている。遊技機１がこのようになっているときに、遊技者が操作ハンドル１８を操作すると遊技機１遊技球が順次弾発され、遊技が進行する。
【００３１】
ここで、前枠４が閉じ位置に位置しているときの回動軸１９とガイド体６ｂとの位置関係を説明する。まず、図５，６に示すように、遊技機１では、前枠４が外枠２に対して組み付けられている場合には、前枠４の回動軸１９がガイド体６ｂの貫通孔６ｃ内において、該貫通孔６ｃの最奥側に位置するように配置されている。
【００３２】
ここで、操作者が前枠４を開放するときは、図５に示すＡ方向に向けて前枠４を引き上げる。このとき、前枠４には構造体１７も一体的に構成されているので、前枠４が引き上げられると、それと同時に構造体１７も一体的に移動する。前枠４がＡ方向に向けて引き上げられるときは、回動軸１９における回動支点Ｓを回動中心として回動する。
【００３３】
前枠４が閉じ位置と開き位置との間に位置しているときの様子を図示したのが図７，８である。これら図７，８に示すように、前枠４を閉じ位置から開き位置へと引き上げると、上記した通りＡ方向に回動しながら引き上げられる。また、それと同時に、前枠４はガイド部材６のガイド部６ｂ中を前方向（図８におけるＢ方向）へと移動する。つまり、前枠４は、Ｂ方向へのスライド移動とＡ方向への回動を同時に行いながら順次引き上げられることになる。図８に図示した通り、前枠４が閉じ位置と開き位置との間にある場合には、回動軸１９はガイド体６ｂの最先側と最奥側との間に位置している。実際には、前枠４が閉じ位置から開き位置まで移動するのに伴って、回動軸１９もガイド体６ｂにおける最奥側から最先側へと移動している。
【００３４】
このような動作を行いながら、前枠４が閉じ位置から開き位置へ到達すると、前枠は水平方向に位置するところまで引き上げられる。このとき、図９，１０に示すように、回動軸１９はガイド体６ｂの最先側に位置している。つまり、前枠４が閉じ位置から開き位置まで引き上げられると、回動軸１９はガイド体６ｂの最奥側から最先側まで移動することになる。言い換えると、前枠４は、閉じ位置から開き位置まで引き上げられるときは、図５等に示したＡ方向へ回動するのと同時に、前方向（図７等におけるＢ方向）へとスライド移動することになる。そして、開き位置に位置した前枠４は、エアシリンダ７の付勢力が作用するので、この付勢力によって前枠４が開き位置に位置することが維持される。そのため、操作者が前枠４を開き位置まで移動させた後に手を放しても、エアシリンダ７の付勢力によって開き位置が維持されることになる。
【００３５】
次に、前枠４を外枠２に対して開放した後に、中枠３を外枠２に対して開放する。中枠３を外枠２に対して開放するのは、例えば主制御基板（図示せず）や副制御基板（図示せず）といった箇所を点検したりするとき等などである。このような場合には、中枠３と外枠２との係合状態を解除して中枠３が外枠２に対して回動できる状態にし、その後に中枠３を開放する位置まで回動させる。このとき、本実施の形態に係る遊技機１では、中枠３は遊技機１を正面視したときの左側の長手方向が回動するための軸になっているので、作業者は中枠３の右側端部などを手に取って、中枠３の左側を軸にして図１１中のＣ方向に回動させる。そうすると、図１１，１２に示すように、中枠３が開放した状態にして所定の作業をすることができる状態になる。
【００３６】
次いで、中枠３を外枠２に閉じる動作及び前枠４を閉じ位置にする動作を説明する。図１０，図１１に示すように、開放された中枠３を外枠２に対して閉じるためには、操作者が遊技機１の正面視したときの右側を押して、中枠３が外枠２に近づく方向にむけて該中枠３を回動させる。このとき、中枠３は、該中枠３の左側を軸として、図１１中のＤ方向に回動させる。このように回動させると、図２に示すように、中枠３が外枠２に対して閉じた状態になる。その後、中枠３を外枠２にロックさせて、外枠２と中枠３とをロック状態にする。
【００３７】
次に、前枠４を開き位置から閉じ位置に移動させる。この場合は、図９，１０に示す開き位置からＥ方向に回動させる。上記した通り、前枠４が開き位置に位置しているときは、回動軸１９がガイド体６ｂの最先側に位置しているところ、前枠４をＥ方向に回動させると、回動軸１９は図１０中におけるＦ方向、言い換えるとガイド体６ｂの最奥側に向けて移動し始める。つまり、前枠４をＥ方向に回動させると、この方向に回動するのと同時に、Ｆ方向にも移動するように動作を行う。そして、前枠４が開き位置から閉じ位置に到達すると、回動軸１９はガイド体６ｂの最奥側に位置させ、前枠４と外枠２とをロックする。
【００３８】
本実施の形態に係る遊技機１では、このように前枠４が閉じ位置から開き位置に向けて回動するときに、図８におけるＢ方向、つまり外枠２に対して前側にスライド移動するので、図９に示すように、前枠４が開き位置に位置しているときに、島設備９０における呼びボタン９１や各種の表示装置との干渉を確実に防止することが可能になる。そのため、前枠４を開き位置に位置させるにあたって上記した干渉を防ぐために前枠４をどこまで開放していいかを調整したりする煩雑さをなくすことができるとともに、前枠４を作業者が開放して作業をするときに、作業者の作業スペースを十分に確保することが可能になる。
【００３９】
一般に、作業者は、図１２に示すように、開き位置に前枠４を位置させた状態で、この前枠４の下方に座って作業をすることになる。そのため、作業スペースを広くして十分に確保することによって、作業者の作業効率を大きく向上させることができる。また、本実施の形態に係る遊技機１では、エアシリンダ７を用いて前枠４が開き位置に位置するのを維持するようにしているので、作業者は片手で前枠４を手に取り、もう片方の手で作業を行うというようなことをせず、両手を使って作業を行うことができる。そのため、作業を非常に迅速かつ正確に行うことが可能になる。遊技店においては、特に釘調整などの作業を頻繁に行うことが多く、かつ釘調整は精度が求められるため、こういった作業を正確かつ効率的に行うことで作業をよりスムーズに行えるようになる。また、作業者はエアシリンダ７によって前枠４が支持されていることで、安心感をもって作業を行うことも可能になる。
【００４０】
また、図１２に示すように、遊技店においては１台の島設備９０において複数台の遊技機１が設置されることが一般的である。また、上記した釘調整などの作業も、複数台の遊技機１に対して行うことが多い。このような場合、本実施の形態に係る遊技機１によれば、複数台の遊技機１の前枠４をすべて開き位置に位置させておくことで、従来の遊技機のように前枠を回避するように移動しながら順次作業を進めるといった煩雑さを解消することができるので、非常に効率的に行うことが可能になる。
【００４１】
さらに、本実施の形態に係る遊技機１によれば、外枠２に対して前枠４に加えて中枠３を開閉可能に形成されており、前枠４は上方に向けて回動し、中枠３は左右方向に向けて回動するように構成されているので、例えば遊技中に中枠３を開放して作業を行うことになった場合にも、開き位置に位置した前枠４が隣接する遊技機１で遊技を行っている遊技者の頭上に位置することがなくなるので、隣接する遊技機１での遊技に支障を及ぼすことがなく、円滑に遊技機１での作業を行うことが可能になる。
【００４２】
また、本実施の形態に係る遊技機１によれば、上受け皿１１及び下受け皿１２は裏ユニット９に固定されているため、前枠４を開き位置に位置させる場合においても賞球として払い出される遊技球が前枠４の開放時にこぼれ落ちることがなく、遊技者に対して不快感を与えるようなことを確実に防止することのできる遊技機１を提供することが可能になる。
【００４３】
以上、本発明に係る遊技機について詳細に説明したが、上記したのは本発明に係る遊技機の例を示したに過ぎず、本発明の趣旨を逸脱しない範囲において適宜変更してもよい。
【符号の説明】
【００４４】
１  遊技機
２  外枠
３  中枠
４  前枠
５  外枠本体
６  ガイド部材
６ａ  固定部
６ｂ  ガイド体
６ｃ  貫通孔
７  エアシリンダ
８  固定部材
９  裏ユニット
１０  遊技盤
１１  上受け皿
１２  下受け皿
１３  貯留スペース
１４  貯留スペース
１５  窓部
１６  ガラス板
１７  構造体
１８  操作ハンドル
１９  回動軸
２０  切欠き部
Ｓ  回動支点
【図１】
2019188051.tif 000003
【図２】
2019188051.tif 000004
【図３】
2019188051.tif 000005
【図４】
2019188051.tif 000006
【図５】
2019188051.tif 000007
【図６】
2019188051.tif 000008
【図７】
2019188051.tif 000009
【図８】
2019188051.tif 000010
【図９】
2019188051.tif 000011
【図１０】
2019188051.tif 000012
【図１１】
2019188051.tif 000013
【図１２】
2019188051.tif 000014
【図１３】
2019188051.tif 000015